(57)【要約】      （修正有）【課題】製品を包装するスペースを減らし、ケトルが転倒する時、お湯が流出することを防止することができる電気ケトルを提供する。【解決手段】ケトル本体１と、ケトル本体１に、回転蝶番または回転軸によって取り付けられた給水口４と、ケトル本体１の中に設けられた水タンクと、水タンクの下に配置された加熱装置と、を備え、パイプを介して、水タンクと給水口４の給水口４１が連通し、給水口４が回転蝶番または回転軸を中心に９０度回転できる。【選択図】図１
0003172571.tif 000002
【実用新案登録請求の範囲】
【請求項１】
ケトル本体（１）と、前記ケトル本体（１）に取り付けられた給水口（４）と、前記ケトル本体（１）の中に設けられた水タンク（２）と、前記水タンク（２）の下に配置された加熱装置（３）と、前記水タンク（２）を介するパイプ（５）及び給水口（４）の給水口（４１）が連通することと、を備える。また、前記給水口（４）が回転できることを特徴とする電気ケトル。
【請求項２】
請求項１に記載の電気ケトルに係わるパイプ（５）はシリコンチューブ（５１）を特徴とする電気ケトル。
【請求項３】
請求項１に記載の電気ケトルに係わるパイプ（５）は、水タンク（２）と連通する給水管（５２）と、給水口（４１）と連通する給水管（５３）と、回転給水口（４）によって給水管（５１）または給水管（５３）の連通または遮断を制御することを特徴とする電気ケトル。
【請求項４】
請求項１に記載の電気ケトルに係わる給水口（４）は、回転蝶番または回転軸によりケトル本体（１）に取り付けられて、給水口（４）が回転蝶番または回転軸を中心に９０度回転できる電気ケトル。
【考案の詳細な説明】
【技術分野】
【０００１】
本考案は、主として一般家庭で使用される電気ケトルに関わる実用的新モデルの小型電器であり、従来の電気ケトルに技術を改善することができる電気ケトルを提供する。
【背景技術】
【０００２】
従来の電気ケトルは熱効率が高くて、使いやすいため、多くの家庭に普及している。ただ、従来の市場で、電気ケトルは給水口寸法のほうが大きくて、それに給水口とケトル本体が垂直で固定されて、電気ケトルの容積が相対的大きくなり、こういう電気ケトルは包装部材を増加するだけでなく、運輸容量も減少することになり、生産者と販売者にとって、より高い割増料金をもたらすことという欠点がある。
【０００３】
上記に加え、従来の電気ケトルの大半は給水口と水タンクがずっと連通した形態で連接し、ケトル本体を不注意に転倒された場合、容器から流出したお湯により、使用者に火傷を負わせることがある。
【考案の概要】
【考案が解決しようとする課題】
【０００４】
本考案の電気ケトルは、上述した問題に対して、回転できる。
【０００５】
給水口を提供し、製品を包装するスペースを縮み、ケトルが転倒する時、水が自動的流出するのを防止することができる。
【課題を解決するための手段】
【０００６】
本電気ケトルは、ケトル本体及びケトル本体に設けられた給水口と、ケトル本体内に水タンクが設けられ、水タンクの下に加熱装置が配置され、水タンクを介するパイプ及び回転できる給水口が連通する。
【０００７】
前記パイプはシリコンチューブまたはプラスチックパイプである。
【０００８】
前記パイプは、水タンクと連通する給水口と、給水口と連通する給水管と、給水口を回転によって給水管を連通または遮断を制御させる。
【０００９】
前記給水口は、回転蝶番または回転軸によりケトル本体に取り付けられて、給水口が回転蝶番または回転軸を回って９０角度を回転できる。
【００１０】
本考案の電気ケトルからお湯を注ぐ際、給水口を先に水平位置に回して、水タンクと給水口に接するパイプが連通させて、電動給水弁を押すとお湯が水タンクから流出させられる。お湯を注がない時、電動給水弁を放してから、給水口を下向きに回してケトル本体に寄せて、水タンクと給水口に接するパイプが遮断されることになる。
【考案の効果】
【００１１】
本考案の新型電気ケトルは、ケトル本体が出水性及び密封性に影響しないように、回転できる給水口を用いる。給水口を回転によって給水管を連通または遮断を制御させ、また給水口を下向きに回してケトル本体に寄せると、ケトルが転倒する時水タンクの中からお湯漏れより使用者に火傷を負わせることが防止でき、なお、製品を包装する横向きスペースが減り、従って、製品の包装部材が減って、輸送包装量が増加して、生産者と販売者にとって、輸送コスト削減することができる。
【図面の簡単な説明】
【００１２】
【図１】本考案の実用的新型な電気ケトルのパイプがスムーズ状態のコンセプト図である。
【図２】本考案の実用的新型な電気ケトルのパイプが遮断状態のコンセプト図である。
【図３】本考案の実用的新型な電気ケトルのパイプがスムーズ状態の断面図である。
【図４】本考案の実用的新型な電気ケトルのパイプが遮断状態の断面図である。
【考案を実施するための形態】
【００１３】
以下、前記電気ケトルは実施例と図面を合わせて、詳細に説明する。
【実施例１】
【００１４】
図１、図２に示すように、本考案の開示する実用的新型な電気ケトルは、ケトル本体１と、前記ケトル本体１に取り付けられた給水口４と、前記ケトル本体１の中に設けられた水タンク２と、前記水タンク２の下に配置された加熱装置３と、前記水タンク２を介するパイプ５及び回転できる給水口４の給水口４１が連通することと、前記給水口４が回転蝶番または回転軸によりケトル本体１に取り付けられるし、且つ前記給水口４が回転蝶番または回転軸を回って９０角度を回転できると、を備える。
【００１５】
前記パイプ５はシリコンチューブ５１である。
【００１６】
本考案の電気ケトルは、給水口を水平位置に寄せて回すと、水タンク２と給水口４１と連接したシリコンチューブ５１が変形された状態からスムーズ状態に戻して、水タンク２と給水口４１が連通される。なお、給水口をケトル本体に寄せて下向きに回すと、水タンク２と給水口４１と連接したシリコンチューブ５１がスムーズ状態から変形されて、遮断状態になり、水タンク２と給水口４１が遮断される。
【００１７】
本考案の電気ケトルに係わる動作プロセスは以下のように行う。まず、水タンク２に満水を注いで、電源に接して、加熱スイッチを押すと、加熱プレート３により加熱し始めて、水タンク２に湯沸かしを行い、
そして、電動給水弁を押すと、お湯がポンプによって抽出されてから、給水口４１に流出する。
【実施例２】
【００１８】
本実施例は実施例１の構造と似て、実施例１とする一種の変形構造である。その区別は、前記パイプ５が三段式パイプを用いること。一段が水タンク２と連通する給水管５２と、ほかの一段が給水口４１と連通する給水管５１と、もう一段が給水管５１、５２と連接する給水管５３となり、給水口を回すによって、給水管５１または給水管５３が連通または遮断を制御することができる。
【図１】
0003172571.tif 000003
【図２】
0003172571.tif 000004
【図３】
0003172571.tif 000005
【図４】
0003172571.tif 000006
【手続補正書】
【提出日】平成23年7月25日(2011.7.25)
【手続補正１】
【補正対象書類名】実用新案登録請求の範囲
【補正対象項目名】全文
【補正方法】変更
【補正の内容】
【実用新案登録請求の範囲】
【請求項１】
ケトル本体（１）と、前記ケトル本体（１）に取り付けられた給水口（４）と、前記ケトル本体（１）の中に設けられた水タンク（２）と、前記水タンク（２）の下に配置された加熱装置（３）と、を備え、前記パイプ（５）を介して、前記水タンク（２）と給水口（４）の給水口（４１）が連通し、前記給水口（４）が回転できることを特徴とする電気ケトル。
【請求項２】
前記パイプ（５）はシリコンチューブ（５１）であることを特徴とする請求項１に記載の電気ケトル。
【請求項３】
前記パイプ（５）は、水タンク（２）と連通する給水管（５２）と、給水口（４１）と連通する給水管（５１）と、前記給水管（５２）と前記給水管（５１）と連通する給水管（５３）を備え、前記給水口（４）が回転することによって、給水管（５１）または給水管（５３）が連通および遮断を制御することを特徴とする請求項１に記載の電気ケトル。
【請求項４】
前記給水口（４）は、回転蝶番または回転軸によりケトル本体（１）に取り付けられて、給水口（４）が回転蝶番または回転軸を中心に９０度回転できることを特徴とする請求項１に記載の電気ケトル。
【手続補正書】
【提出日】平成23年10月21日(2011.10.21)
【手続補正１】
【補正対象書類名】実用新案登録請求の範囲
【補正対象項目名】全文
【補正方法】変更
【補正の内容】
【実用新案登録請求の範囲】
【請求項１】
ケトル本体（１）と、前記ケトル本体（１）に、回転蝶番または回転軸によって取り付けられた給水口（４）と、前記ケトル本体（１）の中に設けられた水タンク（２）と、前記水タンク（２）の下に配置された加熱装置（３）と、を備え、パイプ（５）を介して、前記水タンク（２）と給水口（４）の給水口（４１）が連通し、前記給水口（４）が回転蝶番または回転軸を中心に９０度回転できることを特徴とする電気ケトル。
【請求項２】
前記パイプ（５）はシリコンチューブ（５１）であることを特徴とする請求項１に記載の電気ケトル。
【請求項３】
前記パイプ（５）は、水タンク（２）と連通する給水管（５２）と、給水口（４１）と連通する給水管（５１）と、前記給水管（５２）と前記給水管（５１）と連通する給水管（５３）を備え、前記給水口（４）が回転することによって、給水管（５１）または給水管（５３）の連通および遮断を制御することを特徴とする請求項１に記載の電気ケトル。